(57)【要約】【課題】送信ダイバーシチを適用する複数の搬送波を同時に用いる通信において、通信相手の誤り率特性を劣化させることなく、各送信アンテナにおけるピーク電力を低減する。【解決手段】受信レベル測定部２０１および受信レベル測定部２０２は、それぞれ送受信アンテナ１０１および送受信アンテナ１０２で受信した各搬送波の受信レベルを測定する。受信レベル大小比較部２０３は、搬送波毎に受信レベルが最大となるアンテナを選択する。カウンタ２０４は、選択結果に基づいて各アンテナについて選択された搬送波の総数を算出する。サブキャリア極性反転部２０６は、総数に基づいて送信時の各アンテナにおいて選択される搬送波の総数が予め設定したしきい値Ｓを超えないように各搬送波を選択する。【選択図】  図２
2004343562.tif 000002
【特許請求の範囲】
【請求項１】
搬送波数Ｍ（Ｍは、２以上の自然数）のマルチキャリア信号を用いた時分割複信通信方式の無線通信システムにおいて、Ｋ個（Ｋは、Ｍ≧Ｋである自然数）の送受共用アンテナを備えた通信装置であって、
受信に使用した前記送受共用アンテナのそれぞれにおける受信信号の搬送波毎の受信レベルを測定する搬送波受信レベル測定手段と、
受信レベルが最も大きい送受共用アンテナを、送信時における送受共用アンテナとして搬送波毎に割り当てるアンテナ別搬送波割り当て決定手段であって、送信時に使用するそれぞれの送受共用アンテナに割り当て可能な搬送波数の最大値をＳｋ（Ｓｋは、Ｍ−１≧Ｓｋ≧Ｍ／Ｎ１である自然数）までに制限する搬送波割り当て数制限の範囲内において割当てを決定するアンテナ別搬送波割り当て決定手段と
を有する通信装置。
【請求項２】
さらに、前記送受共用アンテナ毎に割り当てられたアンテナ別搬送波数Ｃｋを数えるアンテナ別搬送波数カウント手段と、
前記アンテナ別搬送波数Ｃｋと前記Ｓｋとを比較し、前記送受共用アンテナを、Ｃｋ＞Ｓｋとなる搬送波過剰割り当てアンテナと、Ｃｋ＜Ｓｋとなる搬送波追加割り当て可能アンテナとに分類する手段と、
前記送受共用アンテナのＣｋが、Ｓｋ≧Ｃｋの条件を満足するように搬送波過剰割り当てアンテナに割り当てられた搬送波のうち、搬送波追加割り当て可能アンテナへ搬送波の割り当てを変更する搬送波を決定する搬送波割り当て変更決定手段と、
該搬送波割り当て変更決定手段において変更が決定された搬送波を、搬送波追加割り当て可能アンテナへ搬送波の割り当て変更する搬送波割り当て調整手段とを備えたことを特徴とする請求項１に記載の通信装置。
【請求項３】
前記アンテナ別搬送波割り当て決定は、マルチキャリア信号の各搬送波成分を周波数分割して送信する場合に、それぞれの送受共用アンテナに割り当てられる搬送波数の偏りを小さくする方向に割当てを決定することを特徴とする請求項１又は２に記載の通信装置。
【請求項４】
前記搬送波過剰割り当てアンテナにおいて過剰に割り当てられた搬送波に関して、
前記搬送波受信レベル測定手段において測定された前記搬送波過剰割り当てアンテナにおける各搬送波の第１の受信レベルと、搬送波追加割り当て可能アンテナにおける前記搬送波過剰割り当てアンテナから割り当てられたそれぞれの搬送波に対応する搬送波の第２の受信レベルとの差を算出する搬送波受信レベル差算出手段と、
該搬送波受信レベル差算出手段により測定されたそれぞれの搬送波の受信レベル差に基づいて、搬送波追加割り当て可能アンテナに対して、ぞれぞれの搬送波の受信レベル差の小さい順に送信時の搬送波の割り当て変更候補としての優先順位を付与する搬送波割り当て変更優先順位付与手段とを備え、
搬送波過剰割り当てアンテナにおいて割り当てられたそれぞれの搬送波のうち、割り当てられたアンテナを変更する搬送波を前記優先順位に基づいて決定することを特徴とした請求項２に記載の通信装置。
【請求項５】
前記搬送波過剰割り当てアンテナにおいて過剰に割り当てられた搬送波に関して、
隣接する周波数領域の搬送波が割り当てられているアンテナが搬送波追加割り当て可能アンテナである場合に、優先してアンテナ割り当ての変更を行うことを特徴とする請求項２記載の通信装置。
【請求項６】
前記Ｓｋをそれぞれの送受共用アンテナ毎に格納する記憶装置を有していることを特徴とする請求項１から５までのいずれか１項に記載の通信装置。
【請求項７】
さらに、前記Ｓｋを、受信状況に応じてアンテナ毎の搬送波数の偏りが小さくなる方向に自動的に変更する手段を有していることを特徴とする請求項６に記載の通信装置。
【請求項８】
搬送波数Ｍ（Ｍは、２以上の自然数）のマルチキャリア信号を用いた時分割複信通信方式の無線通信システムにおいて、Ｋ個（Ｋは、Ｍ≧Ｋである自然数）の送受共用アンテナを備えた通信装置を用いた通信方法であって、
受信に使用した前記送受共用アンテナのそれぞれにおける受信信号の搬送波毎の受信レベルを測定するステップと、
受信レベルが最も大きい送受共用アンテナを、送信時における送受共用アンテナとして搬送波毎に割り当てるアンテナ別搬送波割り当てステップであって、送信時に使用するそれぞれの送受共用アンテナに割り当て可能な搬送波数の最大値をＳｋ（Ｓｋは、Ｍ−１≧Ｓｋ≧Ｍ／Ｎ１である自然数）までに制限する搬送波割り当て数制限の範囲内において割当てを決定するアンテナ別搬送波割り当て決定ステップと
を有する通信方法。
【請求項９】
搬送波数Ｍ（Ｍは、２以上の自然数）のマルチキャリア信号を用いた時分割複信通信方式の無線通信システムにおいて、Ｋ個（Ｋは、Ｍ≧Ｋである自然数）の送受共用アンテナを備えた通信装置であって、
第１の送受用アンテナと、
第２の送受用アンテナと、
前記第１の送受用アンテナから受信された搬送波毎の信号の受信レベルを測定する第１の受信レベル測定部と、
前記第２の送受用アンテナから受信された搬送波毎の信号の受信レベルを測定する第２の受信レベル測定部と、
前記第１の受信レベル測定部により測定された第１の受信レベルと、前記第２の受信レベル測定部により測定された第２の受信レベルと、を搬送波毎に比較する受信レベル比較部と、
該受信レベル比較部による比較に基づいて、それぞれの搬送波を前記第１の送受用アンテナと前記第２の送受用アンテナとのいずれを用いて送信するかを決定する送信アンテナ決定部と
を有する通信装置。
【請求項１０】
さらに、前記受信レベル比較部において算出されたサブキャリアの受信レベル差に基づいてそれぞれのサブキャリアを受信レベルの大きさを基準としてソートするソート回路を有しており、ソート結果に基づいて送信するアンテナを変更するサブキャリア群を決定することを特徴とする請求項８に記載の通信装置。
【請求項１１】
搬送波数Ｍ（Ｍは、２以上の自然数）のマルチキャリア信号を用いた時分割複信通信方式の無線通信システムにおいて、Ｋ個（Ｋは、Ｍ≧Ｋである自然数）の送受共用アンテナを備えた通信装置であって、
受信に使用した前記送受共用アンテナのそれぞれにおける受信信号の搬送波毎の受信レベルを測定する搬送波受信レベル測定手段と、
受信レベルが最も大きい送受共用アンテナを、送信時における送受共用アンテナとして搬送波毎に割り当てるアンテナ別搬送波割り当て決定手段と
を有する通信装置。
【発明の詳細な説明】
【０００１】
【発明の属する技術分野】
本発明は、送信ダイバーシチを使用するマルチキャリア通信システムにおいて、複信方式として時分割複信（Ｔｉｍｅ  Ｄｉｖｉｓｉｏｎ  Ｄｕｐｌｅｘ：ＴＤＤ）方式を用いて通信を行う通信技術に関する。
【０００２】
【従来の技術】
複信方式としてＴＤＤ方式を用いる無線通信システムでは、送信と受信に同一の周波数を用いて通信を行うため、基地局装置では端末からの受信信号レベルが最大となるブランチを選択して送信を行うことにより送信ダイバーシチが容易に実現できる。これは、送信及び受信に同一の周波数を用いると送受信時の伝播路が等しくなるため、受信信号レベルが最大となるブランチから送信を行うと、端末の受信電力も最大となるという原理に基づく。特に、マルチキャリア無線通信システムでは、情報データを分割し、分割した各々の情報データを複数の搬送波で伝送するマルチキャリア伝送が用いられるため、マルチキャリアの構成要素である各搬送波についてそれぞれ送信ダイバーシチの適用が可能であり、マルチキャリア無線通信システムへの送信ダイバーシチの適用は非常に有効であると考えられる。
【０００３】
以下に、従来の送信ダイバーシチを行うマルチキャリア無線通信装置の動作原理及び装置構成例について、図１を参照して説明する。図１に示す無線通信装置では、マルチキャリア無線通信システムとしてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）無線通信システムを用いることを想定しており、図１に示すＯＦＤＭ無線通信装置を基地局装置に適用した場合について説明する。但し、図１に示すように、基地局装置で用いられるアンテナブランチ数は２とし、使用されるサブキャリア数は６とする。基地局装置の通信相手である端末装置から無線により伝送された送信信号は、図１に示される基地局装置において送受信アンテナ１０１（以下、「ブランチ１」と表記する。）及び送受信アンテナ１０２（以下、「ブランチ２」と表記する。）において受信される。ブランチ１およびブランチ２において受信された受信信号は、それぞれ復調部１０３および１０４に入力される。
【０００４】
復調部１０３及び復調部１０４は、図１６に示すように、ダウンコンバータ１と、Ａ／Ｄ（Ａｎａｌｏｇ／Ｄｉｇｉｔａｌ）変換器２と、ＦＦＴ（Ｆａｓｔ  Ｆｏｕｒｉｅｒ  Ｔｒａｎｓｆｏｒｍ）回路３とを有している。復調部１０３では、ブランチ１で受信された信号がＲＦ（Ｒａｄｉｏ  Ｆｒｅｑｕｅｎｃｙ）帯の信号であるため、ダウンコンバータ１においてＢＢ（Ｂａｓｅ  Ｂａｎｄ）帯の時系列信号に周波数変換される。この時系列信号はアナログ信号であり、デジタル信号処理を行うためにＡ／Ｄ変換器２において、入力されたアナログ信号がデジタル信号に変換される。ＦＦＴ回路３では、Ａ／Ｄ変換器２からのデジタル信号に変換された受信信号に対してＦＦＴ処理がなされる。ここでＦＦＴ処理とは、ＯＦＤＭ変調信号を復調することを意味し、多重化された複数の搬送波成分（サブキャリア）を有するＯＦＤＭ変調信号より各サブキャリア情報信号を分離する処理である。ＦＦＴ処理により、ブランチ１で受信された受信信号の各サブキャリア情報信号は、サブキャリア合成部１０５および受信レベル測定部２０１に入力される。同様に、復調部１０４では、ブランチ２で受信された受信信号が各サブキャリアの信号成分に分離され、各サブキャリア情報信号は、サブキャリア合成部１０５および受信レベル測定部２０２に入力される。
【０００５】
受信レベル測定部２０１では、ブランチ１における各サブキャリアの受信レベルが測定され、その測定値は受信レベル大小比較部２０３に入力される。同様に、受信レベル測定部２０２では、ブランチ２における各サブキャリアの受信レベルが測定され、その測定値は受信レベル大小比較部２０３に入力される。受信レベル大小比較部２０３では、受信レベル測定部２０１及び受信レベル測定部２０２からの測定値に基づいて、サブキャリア毎に受信レベルの比較が行われる。ここで、送受信共に、可能な限り受信レベルの高いサブキャリアを選択して復調及び変調を行うことが望ましいため、各サブキャリアについて受信レベルの高いブランチが選択される。この選択結果は、「ブランチ選択信号」としてサブキャリア合成部１０５およびサブキャリア選出部３０３に入力される。
【０００６】
以上の動作について、図３および図４を参照して説明する。但し、図３中（図４〜図９も同様）のサブキャリアは、基地局装置の動作原理をわかりやすく説明するための模式的な図であり、実際に直交化されたサブキャリア配置そのものとは異なる。横軸ｆは周波数である。ブランチ１およびブランチ２における受信レベルが、それぞれ図３及び図４となっている場合には、受信レベル大小比較部２０３において、受信レベルの大きいブランチがサブキャリア毎に選択されるため、周波数毎に分割されたサブキャリア＃１、＃３、＃４、＃５および＃６ではブランチ１が選択され、サブキャリア＃２ではブランチ２が選択される。
【０００７】
サブキャリア合成部１０５では、受信レベル大小比較部２０３からの「ブランチ選択信号」に基づき、サブキャリア毎にブランチを選択して合成を行う選択合成受信がなされる。図５に、ブランチ１およびブランチ２における受信レベルがそれぞれ図３および図４に示すようになる場合に、サブキャリア合成部１０５において選択合成された受信信号の受信レベルを示す。図５に示すように、シングルブランチ（例えば、図４に示すブランチ２）のみを用いて受信した場合よりも複数ブランチを用いて選択合成を行う方が受信レベルを改善できることがわかる。
【０００８】
サブキャリア合成部１０５において選択合成された受信信号は、デマッピング回路１０６においてデマッピング処理がなされて、Ｐ／Ｓ（Ｐａｒａｌｌｅｌ／Ｓｅｒｉａｌ）変換器１０７において６のサブキャリアにより伝送された複数系列の受信信号が並直列変換されて受信データ系列が得られる。
【０００９】
送信データ系列は、Ｓ／Ｐ（Ｓｅｒｉａｌ／Ｐａｒａｌｌｅｌ）変換器３０５において直並列変換され、各サブキャリアに送信されるデータ系列となる。この並列のデータ系列はマッピング回路３０４においてマッピング処理が行われ、サブキャリア選出部３０３に入力される。サブキャリア選出部３０３では、送信信号をブランチ１およびブランチ２のうち、いずれのブランチを選択して送信を行うかをサブキャリア毎について決定する回路であり、受信レベル大小比較部２０３からの「ブランチ選択信号」に基づいてサブキャリア毎に送信に用いるアンテナブランチが決定される。
【００１０】
ここで、送信時に用いられるブランチ選択信号として、受信時の受信レベル大小比較部２０３からの「ブランチ選択信号」を用いている。これは、受信時の「ブランチ選択信号」を用いて基地局装置において送信を行った場合、通信相手である端末での受信電力が最大となるものと考えられるためである。例えば、受信時にブランチ１およびブランチ２における受信レベルが、それぞれ図３および図４に示すようになっている場合には、受信時の「ブランチ選択信号」を用いて、ブランチ１において送信されるサブキャリアは＃１、＃３、＃４、＃５および＃６となり（図６参照）、また、ブランチ２において送信されるサブキャリアは＃２となる（図７参照）。その結果、端末での受信レベルは図８に示すようになり、受信時の「ブランチ選択信号」を送信時においても用いれば良いことがわかる。
【００１１】
サブキャリア選出部３０３では、受信レベル大小比較部２０３からの「ブランチ選択信号」に基づいて、送信時に用いるブランチをサブキャリア毎に決定する。サブキャリア選出部３０３において決定されたブランチ１およびブランチ２に用いるサブキャリア情報信号が、それぞれ変調部３０１および変調部３０２に入力される。変調部３０１および変調部３０２は、図１７に示されるように、アップコンバータ４と、Ｄ／Ａ変換器５とＩＦＦＴ（Ｉｎｖｅｒｓｅ  Ｆａｓｔ  Ｆｏｕｒｉｅｒ  Ｔｒａｎｓｆｏｒｍ）回路６とを有している。
【００１２】
変調部３０１において、サブキャリア選出部３０３からのブランチ１用のサブキャリア情報信号は、図１７に示されるＩＦＦＴ回路６に入力される。ＩＦＦＴ回路６では、入力されたブランチ１用のサブキャリア情報信号をＩＦＦＴ処理することにより、ＯＦＤＭ変調を行う。ＯＦＤＭ変調された送信信号は、Ｄ／Ａ（Ｄｉｇｉｔａｌ／Ａｎａｌｏｇ）変換器５に入力される。Ｄ／Ａ変換器５では、入力されたデジタル値である送信信号がアナログ信号に変換され、アップコンバータ４においてＲＦ帯の信号に周波数変換されて送受信アンテナ１０１を用いて送信される。
【００１３】
同様に、変調部３０２において、サブキャリア選出部３０３からのブランチ２用のサブキャリア情報信号は、ＯＦＤＭ変調、アナログ信号変換および周波数変換が行われ、送受信アンテナ１０２を用いて送信される。このように、基地局装置において送信ダイバーシチを適用すると、受信時の各ブランチが、図３及び図４に示す受信レベルを有する場合には、各サブキャリアにおいて受信レベルが最大となるブランチを選択し、送信時にその選択情報を用いて図６および図７のように各ブランチにおいて送信するサブキャリアを選択することによって、通信相手である端末の受信レベルは図８に示すようになり、端末は信号処理を行うことなしに受信品質を改善することができる。
【００１４】
例えば、第１レベル検出部と第２レベル検出部とを有し、それぞれ第１ブランチおよび第２ブランチについて各搬送波により伝送された信号の受信レベルを検出する装置において、受信レベルが全ブランチにおいて最大である搬送波の総数を算出するカウンタと、各総数に基づいて各搬送波を送信するための送信ブランチを選択するセレクタとを有する装置がある（例えば特許文献１参照）。
【００１５】
【特許文献１】
特開２００１−９４５３０号公報
【００１６】
【発明が解決しようとする課題】
しかしながら、送信ダイバーシチを行うマルチキャリア無線通信装置では、受信状況によって各ブランチの送信に用いるサブキャリア数が変化するため、ある特定のブランチにおいて選択されるサブキャリア数に偏りが生じる場合がある。その様子を図３、４、６、７を参照して説明する。ここで、ブランチ数を２、全サブキャリア数を６とする。図３及び図４は、それぞれブランチ１及びブランチ２における各サブキャリアの受信レベルを示しており、＃１〜＃６はサブキャリア番号を示している。この場合、ブランチ１およびブランチ２の各サブキャリアの受信レベルの大小比較を行うと、サブキャリア＃２についてはブランチ２の方が受信レベルは大きく、他のサブキャリアについてはブランチ１の方が受信レベルは大きくなることがわかる。
【００１７】
従って、その受信結果を元に送信時のサブキャリアを選択して送信ダイバーシチを行った場合、ブランチ１及びブランチ２において送信されるサブキャリアは図６及び図７のようになり、ブランチ１において選択されるサブキャリアの方に偏っていることがわかる。このように、特定のブランチにおいて選択されるサブキャリア数の方に偏りってしまう場合に、サブキャリアの総数が増加するため、その特定アンテナにおけるピーク電力が増加することが問題となる。
【００１８】
本発明は、通信相手となる端末の受信特性を損なうことなく、各ブランチで選択されるサブキャリア数の偏りが少なくなる方向にすることで、全ブランチにおいてピーク電力を抑えることができる、送信ダイバーシチを行うマルチキャリア無線通信装置を提供することを目的とする。
【００１９】
【課題を解決するための手段】
本発明の一観点によれば、搬送波数Ｍ（Ｍは、２以上の自然数）のマルチキャリア信号を用いた時分割複信通信方式の無線通信システムにおいて、Ｋ個（Ｋは、Ｍ≧Ｋである自然数）の送受共用アンテナを備えた通信装置であって、受信に使用した前記送受共用アンテナのそれぞれにおける受信信号の搬送波毎の受信レベルを測定する搬送波受信レベル測定手段と、受信レベルが最も大きい送受共用アンテナを、送信時における送受共用アンテナとして搬送波毎に割り当てるアンテナ別搬送波割り当て決定手段であって、送信時に使用するそれぞれの送受共用アンテナに割り当て可能な搬送波数の最大値をＳｋ（Ｓｋは、Ｍ−１≧Ｓｋ≧Ｍ／Ｎ１である自然数）までに制限する搬送波割り当て数制限の範囲内において割当てを決定するアンテナ別搬送波割り当て決定手段とを有する通信装置が提供される。
【００２０】
上記通信装置では、アンテナに関して割当て可能な搬送波数の制限の範囲内において、搬送波毎に受信レベルが高いアンテナを用いて送信を行う場合における許容最大値を越えないように搬送波の割当てを行うため、送信特性を保持しつつ受信状況に応じて変化するアンテナ毎の搬送波数の割当ての偏りを是正することができる。
【００２１】
前記アンテナ別搬送波割り当て決定は、マルチキャリア信号の各搬送波成分を周波数分割して送信する場合に、それぞれの送受共用アンテナに割り当てられる搬送波数の偏りを小さくする方向に割当てを決定するのが好ましい。例えば、閾値Ｓを、Ｍ／Ｎ２以上の最小の自然数とすれば、偏りを是正することができる。
【００２２】
前記搬送波過剰割り当てアンテナにおいて過剰に割り当てられた搬送波に関して、前記搬送波受信レベル測定手段において測定された前記搬送波過剰割り当てアンテナにおける各搬送波の第１の受信レベルと、搬送波追加割り当て可能アンテナにおける前記搬送波過剰割り当てアンテナから割り当てられたそれぞれの搬送波に対応する搬送波の第２の受信レベルとの差を算出する搬送波受信レベル差算出手段と、該搬送波受信レベル差算出手段により測定されたそれぞれの搬送波の受信レベル差に基づいて、搬送波追加割り当て可能アンテナに対して、ぞれぞれの搬送波の受信レベル差の小さい順に送信時の搬送波の割り当て変更候補としての優先順位を付与する搬送波割り当て変更優先順位付与手段とを備え、搬送波過剰割り当てアンテナにおいて割り当てられたそれぞれの搬送波のうち、割り当てられたアンテナを変更する搬送波を前記優先順位に基づいて決定するのが好ましい。
【００２３】
受信レベル差の小さい順に搬送波割当変更の優先度を決めることにより、送信特性の劣化を防止しつつ、各送信アンテナにおけるピーク電力を低減することができる。さらに、前記Ｓｋを、受信状況に応じてアンテナ毎の搬送波数の偏りが小さくなる方向に自動的に変更する手段を設ければ、受信状況に応じて随時偏りを少なくすることができる。
【００２４】
【発明の実施の形態】
以下に、本発明の各実施の形態について、図面を参照して詳細に説明する。また、本発明の実施の形態では、マルチキャリア無線通信システムとしてＯＦＤＭ無線通信システムを想定し、ＯＦＤＭ無線通信システムにおいて使用されるアンテナブランチ数を２本とし、サブキャリア数を５２とする。
【００２５】
まず、本発明の第１の実施の形態によるＯＦＤＭ通信装置について図面を参照しつつ説明を行う。図２は、本発明の第１の実施の形態によるＯＦＤＭ通信装置の構成例を示すブロック図である。第１の実施の形態において、図２に示すＯＦＤＭ通信装置を、基地局装置に搭載した場合について説明を行う。また、本発明の第１の実施の形態では、ブランチ１およびブランチ２での受信レベルが、図１１の上図のようになる場合の動作について説明する。図２に示すように、本実施の形態によるＯＦＤＭ通信装置と、図１に示す一般的なＯＦＤＭ通信装置との相違点は、送信用の「ブランチ選択信号」を決定する方法である。以下に、本実施の形態による「ブランチ選択信号」の決定方法について図１との相違点を中心にして詳細に説明する。
【００２６】
図２に示すように、受信レベル測定部２０１では、ブランチ１において受信された復調部１０３からの各サブキャリアについての受信レベルが測定される。その測定値は、受信レベル大小比較部２０３に入力される。同様に、受信レベル測定部２０２では、ブランチ２において受信された復調部１０４からの各サブキャリアについての受信レベルが測定される。その測定値も、受信レベル大小比較部２０３に入力される。
【００２７】
受信レベル大小比較部２０３では、受信レベル測定部２０１および受信レベル測定部２０２からの測定値に基づいて、サブキャリア毎に受信レベルの比較が行われる。この比較結果は、「ブランチ選択信号」として出力され、受信用のブランチ選択信号としてサブキャリア合成部１０５に入力され、送信用のブランチ選択信号決定のために、カウンタ２０４およびサブキャリア極性反転部２０６に入力される。
【００２８】
ここで、「ブランチ選択信号」とは、例えば、サブキャリア毎にブランチ１とブランチ２のサブキャリアの受信レベルを比較し、ブランチ１のサブキャリアの受信レベルが大きい場合には“１”とし、逆にブランチ２のサブキャリアの受信レベルが大きい場合には“０”とする信号であり、これによりいずれのブランチを選択するかを決める。ブランチ１及びブランチ２における各サブキャリアの受信レベルが図１１に示す状態である場合に、「ブランチ選択信号」は図１１の下図のようになる（“１１１・・・１１００・・・００”）。カウンタ２０４では、受信レベル大小比較部２０３からの「ブランチ選択信号」より、ブランチ毎に選択されたサブキャリアの総数が算出される。この算出結果は、「サブキャリア総数信号」として大小比較部２０５に入力される。入力された「ブランチ選択信号」が図１１の下図に示されており、図１１に示す例では、ブランチ１の「サブキャリア総数信号」は“３０”となり、ブランチ２の「サブキャリア総数信号」は“２２”となる。
【００２９】
大小比較部２０５では、カウンタ２０４からのブランチ毎の「サブキャリア総数信号」と、予め設定されたしきい値Ｓとの大小の比較を行う。ここで、しきい値Ｓは、各ブランチにおいて送信すべきサブキャリアの総数の最大値を示しており、様々な環境に応じて変更することができる。本実施の形態では、このしきい値をＳ＝２６に設定した例について説明を行う。
【００３０】
【表１】
2004343562.tif 000003
【００３１】
表１に、大小比較部２０５の入力信号に対する出力信号の対応を示す。表１において、カウンタ２０４から入力された「サブキャリア総数信号」をｍとし、しきい値をＳとすると、ｍ＞Ｓとなる場合には、その差（ｍ−Ｓ）を「極性反転回数信号」として出力し、ｍ≦Ｓとなる場合には、「極性反転回数信号」として０を出力する。この「極性反転回数信号」は、サブキャリア極性反転部２０６に入力される。ここで、ブランチ１の「サブキャリア総数信号」は“３０”であり、３０＞２６となるため、出力結果である「極性反転回数信号」は、ブランチ１については“４”となる。一方、ブランチ２の「サブキャリア総数信号」は“２２”であり、２２＜２６となるため、出力結果である「極性反転回数信号」は、ブランチ２については“０”となる。
【００３２】
サブキャリア極性反転部２０６では、大小比較部２０５からの「極性反転回数信号」に基づいて、極性反転処理（あるサブキャリアについて選択されたブランチを変更する処理）を行うブランチ及びサブキャリア数が決定される。各ブランチの「極性反転回数信号」の値は、ブランチ１では”４”であり、ブランチ２では”０”であるため、ブランチ１が選択された”３０”個のサブキャリアのうち、”４”個のサブキャリアについて極性反転が行われる。ブランチ２については、「極性反転回数信号」が”０”であるため、極性反転は行われない。
【００３３】
ブランチ１において極性反転の対象となるサブキャリアは、ブランチ１が選択されているサブキャリアのうち、サブキャリア番号が若い番号を優先的に反転させる。図１２に反転の様子を示す。ブランチ１が選択されている若いサブキャリア番号となるサブキャリア＃１〜＃４に対して極性反転が行われており、その結果、サブキャリア＃１〜＃４ではブランチ２が選択される。この極性反転処理結果は、送信用の「ブランチ選択信号」としてサブキャリア選出部３０３に入力される。
このように、基地局装置は、受信時の各ブランチのサブキャリアにおける受信レベルに基づいて、送信時の送信すべきサブキャリアを選択した結果、ある特定のブランチにおいてサブキャリアが集中して選択される場合には、その特定のブランチ内のサブキャリアの一部を上記特定のブランチ以外のブランチを用いて送信を行うことができる。従って、通常の送信ダイバーシチを行うＯＦＤＭ通信装置と比較して、各ブランチにおけるピーク電力を低減することができる。
【００３４】
次に、本発明の第２の実施の形態による通信技術について図面を参照して説明を行う。上記第１の実施の形態の形態による通信技術においては、図２に示すサブキャリア極性反転部２０６において、極性反転対象となるサブキャリアを受信状況と関係なく選択するため、送信ダイバーシチを行う一般的なＯＦＤＭ通信装置よりも通信相手となる端末の受信特性が劣化するという問題が挙げられる。すなわち、上記第１の実施の形態においては、極性反転対象となるサブキャリアの選択が任意であるのに対して、第２の実施の形態による通信技術では、受信状況を考慮したサブキャリア選択を行う点に特徴がある。本実施の形態による通信技術に関して、図９を参照しつつ説明を行う。尚、基地局装置の受信状況は図１１に示す状況であると仮定して説明する。
【００３５】
図９に示すように、受信レベル測定部４０１では、復調部１０３内のＦＦＴ回路からの各サブキャリアについての受信レベルが測定される。その測定値が、受信レベル大小比較部４０２に入力される。また、受信レベル測定部４１１では、復調部１０４内のＦＦＴ回路からの各サブキャリアについての受信レベルが測定される。その測定値は、受信レベル大小比較部４０２に入力される。受信レベル大小比較部４０２では、受信レベル測定部４０１と受信レベル測定部４１１とからの入力値に基づいて、サブキャリア毎に受信レベルの比較が行われる。この比較結果は、「ブランチ選択信号」として、サブキャリア合成部１０５と、カウンタ４０３と、ソート回路４０５と、サブキャリア極性反転部４０７と、に入力される。ここで、基地局装置の受信状況が図１１の上図に示す状態である場合には、各サブキャリアの「ブランチ選択信号」は図１１の下図のようになる。
【００３６】
また、受信レベル大小比較部４０２では、受信レベル測定部４０１及び受信レベル測定部４１１の測定結果に基づいて、サブキャリア毎にブランチ１の受信レベルからブランチ２の受信レベルを引いたサブキャリアの受信レベルの差が算出される。この算出結果は、「受信レベル差信号」としてソート回路４０５に入力される。カウンタ４０３では、受信レベル大小比較部４０２からの「ブランチ選択信号」に基づいて、ブランチ１が選択されたサブキャリアの総数が算出される。この算出結果は、「サブキャリア総数信号」として比較部４０４及び極性反転決定部４０６に入力される。図１１の場合には、各ブランチの「サブキャリア総数信号」は“３０”となる。
【００３７】
比較部４０４では、カウンタ４０３からの「サブキャリア総数信号」と、予め設定されたしきい値Ｓとの差をそれぞれ算出することにより、各ブランチにおいて極性反転を行うサブキャリア数を示す「極性反転回数信号」を生成する。生成された「極性反転回数信号」は、極性反転決定部４０６に入力される。前述のしきい値Ｓは、各ブランチにおいて送信すべきサブキャリアの最大数を示している。図１１の場合には、「極性反転回数信号」は“４”となる。ソート回路４０５では、受信レベル大小比較部４０２からの各キャリアの「受信レベル差信号」に基づいて、受信レベルの大きいサブキャリアから順に並べ替え処理が行われる。また、そのとき「受信レベル差信号」の大きいサブキャリアのサブキャリア番号を順に出力した「ソートサブキャリア番号信号」が生成される。この結果、「ソートサブキャリア番号信号」は、極性反転決定部４０６に入力される。図１１の受信レベルである場合には、ソート回路４０５において並び替え処理された「受信レベル差信号」は、図１３で示されるようになる。
【００３８】
極性反転決定部４０６では、比較部４０４からの「極性反転回数信号」が正の値となるブランチを、サブキャリアの極性反転処理を行うブランチと決定する。さらに、「極性反転回数信号」の値により極性反転処理を行うサブキャリア数が決定される。ここで、「サブキャリア総数信号」をｍ、「極性反転回数信号」をｎ、しきい値をＳとする。サブキャリアの極性反転処理を行うブランチがブランチ１の場合、つまりｍ≧Ｓの場合には、ブランチ１の内でブランチ間の受信レベル差が小さいものからｎ個までのサブキャリアを極性反転対象となるサブキャリアとして選択する。これは、「ソートサブキャリア番号信号」のソート番号Ｓからｍに対応するサブキャリア番号のサブキャリアが極性反転対象となることと等価である。
【００３９】
サブキャリアの極性反転処理を行うブランチがブランチ２の場合、つまりｍ＜Ｓの場合には、ブランチ２内でブランチ間の受信レベル差が小さいものからｎ個までのサブキャリアを極性反転対象となるサブキャリアとして選択する。これは、「ソートサブキャリア番号信号」のソート番号ｍからＳに対応するサブキャリア番号のサブキャリアが極性反転対象となることと等価である。以上の処理により、極性反転対象となるサブキャリア番号が決定し、この結果は、「極性反転番号信号」としてサブキャリア極性反転部４０７に入力される。
【００４０】
サブキャリア極性反転部４０７では、受信レベル大小比較部からの「ブランチ選択信号」に対して極性反転処理が行われる。その際、極性反転決定部４０６からの「極性反転番号信号」に示されるサブキャリア番号のサブキャリアに対して極性反転処理が行われる。
【００４１】
以上の処理によって極性反転が行われた「ブランチ選択信号」が送信用のブランチ選択信号として、サブキャリア選出部４０８に出力される。図１１に示す例では、「極性反転回数信号」よりブランチ１のサブキャリアのうち、４つのサブキャリアについて極性反転が行われる。さらに、「サブキャリア番号信号」よりブランチ１が選択されたサブキャリア番号＃３０、＃２９、＃２８および＃２７のサブキャリアについて極性反転が行われる。その結果、「ブランチ選択信号」は、図１４に示すようになる。
【００４２】
以上に説明したように、本実施の形態による基地局装置は、ある特定のブランチにおいてサブキャリアが集中して選択される場合には、その特定のブランチ内において、他のブランチとの間の受信レベル差の小さいサブキャリアを、その特定ブランチ以外のブランチを用いて送信する。従って、通信相手となる端末の受信特性を劣化させることなく各送信ブランチにおけるピーク電力を低減できることができるという利点がある。
【００４３】
次に、本発明の第３の実施の形態による通信技術について図面を参照しつつ説明を行う。上記第２の実施の形態による通信技術を用いた場合には、図９に示すソート回路４０５において、「受信レベル差信号」の並び替えを行う処理が必要となる。この処理はアナログ値の並び替え処理を含むため、ブランチ数の増加又は使用されるサブキャリア数の増加に伴い、回路規模が増大する。
【００４４】
本実施の形態による通信技術では、極性反転処理を行う際に、「受信レベル差信号」を用いずに「ブランチ選択信号」のみを参照して並び替えの処理を行う点に特徴がある。以下に、「ブランチ選択信号」のみを用い、受信状況を考慮した極性反転処理の原理について図１１を参照しつつ説明を行う。基地局装置での受信状況が図１１の上図に示される場合に、サブキャリア番号＃３０とサブキャリア番号＃３１との間においてブランチ１とブランチ２との受信レベルが逆転していることがわかる。このように、選択されるブランチが切り替わるサブキャリア番号＃３０のサブキャリアとサブキャリア番号＃３１のサブキャリアでは、他のサブキャリアよりも両ブランチ間の受信レベル差が小さい。本実施の形態による通信技術においては、上記のように、選択されるブランチが切り替わるサブキャリアは、ブランチ間の受信レベル差が小さくなる点に着目し、「ブランチ選択信号」のサブキャリア極性反転時には、選択されるブランチが切り替わるサブキャリアに対して優先的に極性反転を行うことにより、「ブランチ選択信号」のみを用い、受信状況を考慮した各サブキャリアのブランチ選択が実現できる。
【００４５】
図１０は、本実施の形態に係るＯＦＤＭ通信装置のブロック図である。ここで、図１０に示されるＯＦＤＭ通信装置を基地局装置に搭載した場合について説明する。但し、各ブランチの選択可能なサブキャリアの最大数を示すしきい値Ｓは、全サブキャリア数５２の半数のＳ＝２６の場合を説明する。図１０に示すように、受信レベル測定部２０１では、復調部１０３より入力されたブランチ１における各サブキャリアについての受信レベルが測定される。その測定値は、受信レベル大小比較部２０３に入力される。また、受信レベル測定部２０２では、復調部１０４より入力されたブランチ２における各サブキャリアについての受信レベルが測定される。その測定値も受信レベル大小比較部２０３に入力される。受信レベル大小比較部２０３では、受信レベル測定部２０１及び受信レベル測定部２０２からの測定値に基づいて、サブキャリア毎に受信レベルの比較が行われる。この比較結果は、「ブランチ選択信号」として出力され、サブキャリア合成部１０５およびサブキャリア極性反転部５０３に対して出力される。
【００４６】
本実施の形態における「ブランチ選択信号」は、サブキャリア毎にブランチ１とブランチ２とのサブキャリアの受信レベルを比較し、ブランチ１のサブキャリアの受信レベルが大きい場合には“１”とし、逆に、ブランチ２のサブキャリアの受信レベルが大きい場合には“０”とするブランチの選択を示す信号である。ここで、送信用のブランチ選択信号の生成が行われるサブキャリア極性反転部５０４の回路構成図を図１９に示し、その動作について図１５に示されるフローチャート図を参照して説明する。
【００４７】
図１９において、符号１００１、１００４、１００５、１００７、１００８および１０１０はＸＮＯＲゲート回路を示し、符号１００２、１００９、１０１３、１０１４及び１１１６は、ＡＮＤゲート回路を示し、符号１００３、１００６および１０１１はＤフリップフロップ回路を、符号１０１２はインバータ回路を、符号１０１５はＯＲゲート回路を表す。図１０に示す受信レベル大小比較部２０３から入力された「ブランチ選択信号」は、図１９に示す記憶装置９０１およびカウンタ９０２に入力される。記憶装置９０１は、「ブランチ選択信号」を記憶するための５２×１ビットのメモリ領域を所有しており、５２のサブキャリアについての「ブランチ選択信号」は、例えば、このメモリ領域のアドレス１から順にアドレス５２まで記憶される（図１５のフローチャート図のステップ７０１参照）。
【００４８】
次に、記憶装置９０１のアドレス１から順に回路１１０８に対して「ブランチ選択信号」の値が出力される。但し、記憶装置９０１から値を読み出す場合には、アドレス１から順に必ずアドレス５２まで読み出され、記憶装置９０１は５３クロック周期で動作する。また、記憶装置９０１では、回路１１０８に「ブランチ選択信号」を出力するとともに、回路１１０９からの極性反転処理が行われた「ブランチ選択信号」が入力される。この入力された「ブランチ選択信号」により各サブキャリアの極性がアップデートされる。但し、記憶装置９０１において回路１１０９からの値を記憶する場合には、図２０に示される信号（Ｓ５）が“１”となるクロックタイミングにおいてのみ回路１１０９からの値が記憶される。言い換えれば、２番目のクロックよりアドレス１の値のアップデートが開始され、５３番目のクロックにおいてアドレス５２までのアップデートが完了することを示している。最後に、記憶装置９０１における５３クロック周期の動作は、５３番目のクロックにおいて比較部９０７からの信号Ｓ４の値を参照し、信号Ｓ４が“０”であるときに動作が終了する。
【００４９】
カウンタ９０２では、入力された「ブランチ選択信号」に基づいて、ブランチ１が選択されたサブキャリアの総数ｍがカウントされる（ステップ７０２）。この出力結果ｍは「サブキャリア総数信号」として、減算器９０３及び比較部１０６に入力される。減算器９０３では、カウンタ９０２より入力された「サブキャリア総数信号」ｍとしきい値２６との差ｈを算出する。本実施の形態では、しきい値を２６としているため、ｈ＝ｍ−２６となる（ステップ７０５）。このｈは、絶対値算出部９０４及び符号判定部９０５に入力される。絶対値算出部９０４では、減算器９０３より入力されたｈの絶対値ｉが算出される（ステップ７０５）。この絶対値ｉは、必要となる極性反転の回数を示しており、「極性反転回数信号」として比較部９０７に入力される。符号判定部９０５では、減算器９０３からのｈの符号が正か負かの判定が行われる。この判定結果として、ｈ≧０の場合には“０”、ｈ＜０の場合には“１”とする符号を示す信号Ｓ１が生成され（ステップ７１１）、回路１００１に入力される。ここで、信号Ｓ１は、「ブランチ選択信号」の各サブキャリアにおける極性“０”及び極性“１”の総数のいずれが多いかを示す信号であり、極性“０”が多い場合（ｈ＜０。Ｓ１＝１）には、極性“０”を極性“１”にする極性反転処理を行うことを示し、極性“１”が多い場合（ｈ≧０、Ｓ１＝０）には極性“１”を極性”０”にする極性反転処理を行うことを示している。
【００５０】
比較部１１０６では、カウンタ９０２からの「サブキャリア総数信号」ｍが“０”又は“５２”となる場合には、“１”が出力され、その他の場合には“０”が出力される。この出力結果Ｓ２は、回路１１１１に入力される。ここで、ｍ＝０またはｍ＝５２の時には、選択されるブランチが切り替わるサブキャリアが存在しないため、極性反転処理を行うことができない。このような場合においても極性反転処理を行うことができるように、極性反転処理を行う回路１１０８にブランチの切り替わりの有無を伝達する信号である（ステップ７０３）。
【００５１】
回路１１０８は、カウンタ１１１０、回路１１１１、回路１１１２、回路１１１３および回路１１１４より成る。回路１１０８では、入力信号として記憶装置９０１からの「ブランチ選択信号」、符号判定部９０５からの信号Ｓ１及び比較部１１０６からの信号Ｓ２が入力される。入力された信号Ｓ１および信号Ｓ２に応じて、「ブランチ選択信号」の極性反転が行われる。以下に、その動作原理を示す。
【００５２】
回路１１１１では、入力された「ブランチ選択信号」のサブキャリア番号＃ｊ＋１の極性と１クロック前のサブキャリア番号＃ｊの極性とが比較され、極性が異なる場合には極性反転を行う信号”１”、極性が等しい場合には極性反転を行わない信号“０”が出力される（ステップ７０７）。この出力結果は、カウンタ１１１０および回路１１１４に入力される。カウンタ１１１０では、回路１１１１より入力された信号に基づいて回路１１０８において極性反転が必要と判断された回数がカウントされる。
【００５３】
但し、図１８に示される入力信号Ｓ６が“１”となるクロックタイミングにおいてのみ極性反転回数のカウントが実行される（ステップ７１５）。このカウントされた結果Ｓ３は、比較部９０７に入力される。
【００５４】
回路１１１４では、入力された信号Ｓ６に従って極性反転処理を実行できるタイミングが決定される。信号Ｓ６は、図１８に示すように、クロックタイミング第１番目と第５３番目において“０”となっているため、これら２つのクロックタイミングにおいては回路１１１１より入力された信号の値に関わらず、極性反転処理が行われないように制御する信号が生成される。この出力結果は、回路１１１２および回路１１１３に出力される。
【００５５】
回路１１１２および回路１１１３では、回路１１１４より入力された信号が“０”の場合には極性反転処理が行われず、“１”の場合にサブキャリア番号＃ｊ又は＃ｊ＋１の極性反転処理が行われる。この時、サブキャリア番号＃ｊと＃ｊ＋１の極性は異なるものとなっているため、サブキャリア番号＃ｊと＃ｊ＋１のいずれかの極性が反転処理される。その基準は、「ブランチ選択信号」の内で“０”および“１”のいずれの極性が多いかを示す、符号判定部からの信号Ｓ１である（ステップ７１２）。信号Ｓ１が“０”の場合、つまり「ブランチ選択信号」の極性“１”が多い場合には、サブキャリア番号＃ｊ及び＃ｊ＋１の極性のうち、極性が“１”のサブキャリアに対して極性反転処理が行われる（ステップ７１３）。逆に、信号Ｓ１が“１”の場合、つまり「ブランチ選択信号」の極性“０”が多い場合には、サブキャリア番号＃ｊ及び＃ｊ＋１の極性のうち、極性が“０”のサブキャリアに対して極性反転処理が行われる（ステップ７１４）。この結果、極性反転処理が行われた「ブランチ選択信号」が出力され、回路１１０９に入力される。
【００５６】
比較部９０７では、絶対値算出部９０４からの「極性反転回数信号」ｉとカウンタ１１１０からの信号Ｓ３との比較が行われる。Ｓ３の値をｋとすると、ｉ−ｋ＞０の場合には、比較部９０７は“１”を出力し、ｉ−ｋ≦０の場合には比較部９０７は“０”を出力する。この出力結果は、信号Ｓ４として回路１１０９及び記憶装置１１１５に入力される。また、信号Ｓ４は極性反転処理の要否を示しており、Ｓ４＝“１”の場合には極性反転処理が必要であることを示し、Ｓ４＝“０”の場合には極性反転処理が必要でないことを示している。
【００５７】
回路１１０９では、比較部９０７からの極性反転処理の有無を示す信号Ｓ４に基づいて、出力として極性反転処理を行った「ブランチ選択信号」又は極性反転処理を行わない「ブランチ選択信号」のいずれを出力するのかが決定される。Ｓ４＝１の場合、極性反転処理を行った「ブランチ選択信号」が出力され、Ｓ４＝０の場合、極性反転処理を行わない「ブランチ選択信号」が出力される。この出力結果は、記憶装置９０１および記憶装置１１１５に入力される。
【００５８】
記憶装置１１１５では、回路１１０９からの「ブランチ選択信号」を記憶するための５２×１ビットのメモリを所有しており、図２０に示される入力信号Ｓ５が“１”となるクロックタイミングにおいてのみメモリに記憶される。また、記憶装置１１１５では、信号Ｓ５により第２番目のクロックよりアドレス１から順に「ブランチ選択信号」が記憶され、第５３番目のクロックにおいてアドレス５２まで記憶される。記憶装置１１１５における動作の終了は、記憶装置９０１と同様であり、５３番目のクロックにおいて比較部９０７からの信号Ｓ４の値を参照し、Ｓ４が“０”であるときに動作が終了する（ステップ７１６）。
【００５９】
このように、本実施の形態による基地局装置は、通信相手となる端末の受信特性を劣化させることなく、各ブランチのピーク電力を抑える送信ダイバーシチを行うことができる。また、回路構成が非常に単純であり、少ない回路規模で装置を実現できるという利点がある。
【００６０】
次に、本発明の第４の実施の形態による通信技術について図面を参照しつつ説明を行う。本発明の第３の実施の形態による通信技術では、各ブランチのピーク電力を最も最小化できる総サブキャリア数５２の半数である２６を各ブランチの選択可能なサブキャリアの最大数を示すしきい値として用いたが、本実施の形態では、「最大サブキャリア数」を任意に選択できる。
【００６１】
本実施の形態によるＯＦＤＭ通信装置は、第３の実施形態のＯＦＤＭ通信装置と同様の構成を有しており、図１０においてサブキャリア極性反転部５０４の回路構成のみが変わる。図２１に本実施の形態によるサブキャリア極性反転部の回路構成を示し、図２２に動作の流れを示すフローチャート図を示す。本実施の形態による装置が第３の実施の形態による装置と異なるのは、図１９において絶対値算出部９０４の出力結果であるｉと、符号判定部９０５の出力信号Ｓ１および比較部１１０６の出力信号Ｓ２の算出方法とである。以下に、ｉと信号Ｓ１及びＳ２の算出手順を示す。
【００６２】
カウンタ１３０１では、図１０に示される受信レベル大小比較部２０３より入力された「ブランチ選択信号」に基づいて、ブランチ１が選択されたサブキャリアの総数ｍ１およびブランチ２が選択されたサブキャリアの総数ｍ２がカウントされる（図２２：ステップ７０２ａ）。この出力結果ｍ１は、減算器１３０２及び比較部１４０５に入力され、ｍ２は減算器１３０３に入力される。減算器１３０２では、カウンタ１３０１からのｍ１と「最大サブキャリア数」ａとの差ｈ１が算出される（ステップ７０５）。このｈ１（＝ｍ１−１）は、大小比較部１３０４に入力される。減算器１３０３では、カウンタ１３０１からのｍ２と「最大サブキャリア数」ａとの差ｈ２が算出される（ステップ７０５）。このｈ２（＝ｍ２−ａ）は、大小比較部２０３（図１０）に入力される。図１０に示す大小比較部２０３では、減算器１３０２からの信号ｈ１と減算器１３０３からの信号ｈ２との大小を比較し、大きい方の信号を出力する。この出力結果は、「極性反転回数信号」ｉとして比較部１２０４に入力される。また、大小比較部２０３（図１０）では、ｈ１≧ｈ２の場合にＳ１＝０、Ｈ１＜ｈ２の場合にＳ１＝１とする信号Ｓ１が生成される。この信号Ｓ１は、回路１３０８に入力される。
【００６３】
比較部１４０５では、カウンタ１３０１からの信号ｍ１の値が“０”または“５２”となる場合には“１”が出力され、その他の場合には“０”が出力される（ステップ７０３）。この出力結果Ｓ２は、回路１３１１に入力される。以上の処理が第３の実施の形態と異なる処理であり、その他の処理は第３の実施の形態と同様の処理を行う。このように、図２１に示す回路構成を用いることにより、各ブランチにおいて設定された最大のサブキャリア数を超えないようにサブキャリア数を選択でき、各ブランチにおけるピーク電力を抑えることが可能となる。
【００６４】
また、本実施の形態においては回路構成が非常に単純なものとなっており、少ない回路規模で装置化が可能である。
以上、本発明に関して実施の形態に沿って説明を行ったが、本発明はこれらの例に限定されるものではなく、種々の変形が可能であるのは言うまでもない。
【００６５】
【発明の効果】
本発明により、送信ダイバーシチを適用する複数の搬送波を同時に用いて通信を行う通信システムにおいて、通信相手の誤り率特性を劣化させることなく、各送信アンテナにおけるピーク電力を低減する通信装置を提供することが可能となる。また、通信相手の誤り率を劣化させることなく、各送信アンテナにおけるピーク電力を低減する通信装置を提供することが可能となる。
【図面の簡単な説明】
【図１】一般的な通信装置の構成例を示すブロック図である。
【図２】本発明の第１の実施の形態による通信装置の構成例を示す図である。
【図３】本発明の第１の実施の形態による通信装置のブランチ１の各サブキャリアの受信レベルの一例を示す図である（横軸は周波数）。
【図４】本発明の第１の実施の形態による通信装置のブランチ２の各サブキャリアの受信レベルの一例を示す図である（横軸は周波数）。
【図５】本発明の第１の実施の形態による通信装置の合成後の各サブキャリアの受信レベルを示す図である（横軸は周波数）。
【図６】本発明の第１の実施の形態による通信装置のブランチ１の各サブキャリアの送信レベルを示す図である（横軸は周波数）。
【図７】本発明の第１の実施の形態による通信装置のブランチ２の各サブキャリアの送信レベルを示す図である（横軸は周波数）。
【図８】本発明の第１の実施の形態による通信相手の端末装置での各サブキャリアの受信レベルを示す図である（横軸は周波数）。
【図９】本発明の第２の実施の形態による通信装置の構成例を示す図である。
【図１０】本発明の第３の実施の形態による通信装置の構成例を示す図である。
【図１１】ブランチ数が２であり、サブキャリア総数が５２である場合における各サブキャリアの受信レベルの一例を示す図である。
【図１２】本発明の第１の実施の形態による通信技術を適用した後の「ブランチ選択信号」の例を示す図である（横軸は周波数）。
【図１３】本発明の第２の実施の形態における各サブキャリアについて１ブランチ間の受信レベル差を大きい順に並べ替えた「受信レベル差信号」を示す図である（横軸は周波数）。
【図１４】本発明の第２の実施の形態による通信装置の「ブランチ選択信号」の例を示す図である（横軸は周波数）。
【図１５】本発明の第３の実施の形態による通信装置における各ブランチについて送信時に選択されるサブキャリアを決定する処理の流れを示すフローチャート図である。
【図１６】図１の復調部１０３および復調部１０４、図２の復調部１０３および復調部１０４、図９の復調部１０３および復調部１０４、および図１０の復調部１０３および復調部１０４の詳細な装置構成図
【図１７】図１、図２、図９及び図１０の２つの変調部のそれぞれの内部の構成例を示す図である。
【図１８】信号Ｓ６の波形例を示す図である。
【図１９】本発明の第３の実施の形態による通信装置における図１０のサブキャリア極性反転部２０４の回路構成例を示す図である。
【図２０】信号Ｓ５の波形例を示す図である。
【図２１】本発明の第４の実施の形態による通信装置における図１０のサブキャリア極性反転部２０４の回路構成例を示す図である。
【図２２】本発明の第４の実施の形態による通信装置の各ブランチについて送信時に選択されるサブキャリアを決定する処理の流れを示すフローチャート図である。
【符号の説明】
１０１、１０２…送受信アンテナ、１０３、１０４…復調装置、１０５…サブキャリア合成部、１０６…デマッピング部、１０７…Ｐ／Ｓ変調部、２０１、２０２…受信レベル測定部、２０３…受信レベル
【図１】
2004343562.tif 000004
【図２】
2004343562.tif 000005
【図３】
2004343562.tif 000006
【図４】
2004343562.tif 000007
【図５】
2004343562.tif 000008
【図６】
2004343562.tif 000009
【図７】
2004343562.tif 000010
【図８】
2004343562.tif 000011
【図９】
2004343562.tif 000012
【図１０】
2004343562.tif 000013
【図１１】
2004343562.tif 000014
【図１２】
2004343562.tif 000015
【図１３】
2004343562.tif 000016
【図１４】
2004343562.tif 000017
【図１５】
2004343562.tif 000018
【図１６】
2004343562.tif 000019
【図１７】
2004343562.tif 000020
【図１８】
2004343562.tif 000021
【図１９】
2004343562.tif 000022
【図２０】
2004343562.tif 000023
【図２１】
2004343562.tif 000024
【図２２】
2004343562.tif 000025